(57)【要約】【課題】冷房運転時に、補助上下風向板の固定位置を変更しないで、上下風向板の固定位置だけを変更させて、吹出口から吹き出される冷気の風向を変更する従来の空気調和機では、上下風向板の表面と裏面との温度差が大きくなって、上下風向板の裏面に水滴が付くという問題がある。【解決手段】上下風向板が第１回動範囲に固定されているか否かを判断し（Ｓ５）、上下風向板が第１回動範囲に固定されている場合（Ｓ５：Ｙｅｓ）、補助上下風向板を第２回動範囲に配置する（Ｓ３）。また、上下風向板が第３回動範囲に固定されているか否かを判断し（Ｓ６）、上下風向板が第３回動範囲に固定されている場合（Ｓ６：Ｙｅｓ）、補助上下風向板を第４回動範囲の第１水滴回避位置又は第２水滴回避位置に固定する（Ｓ１１、Ｓ１２）。【選択図】図９
2014070758.tif 000002
【特許請求の範囲】
【請求項１】
吸込口から吹出口に至る空気流路に配置された送風ファンと、
前記吹出口の近傍において回動可能に支持された上下風向板と、
前記上下風向板の上方において回動可能に支持された補助上下風向板と、
前記上下風向板及び前記補助上下風向板を制御する制御手段とを備え、
前記制御手段は、
冷房運転時において、前記上下風向板を第１回動範囲に固定した場合に前記補助上下風向板を第２回動範囲に配置するとともに、前記上下風向板を前記第１回動範囲より下向きの第３回動範囲に固定した場合に、前記補助上下風向板を前記第２回動範囲より下向きの第４回動範囲に配置することを特徴とする空気調和機。
【請求項２】
前記制御手段は、前記上下風向板を前記第３回動範囲に固定した場合に、前記補助上下風向板を前記第４回動範囲に固定することを特徴とする請求項１に記載の空気調和機。
【請求項３】
前記制御手段は、
前記上下風向板が前記第３回動範囲に固定され、かつ、前記補助上下風向板が前記第４回動範囲に固定された状態において、
冷房運転が停止された場合、前記上下風向板のスイング動作が開始された場合、所定の風向固定モードでの運転が開始された場合、及び、前記上下風向板が前記第１回動範囲に移動した場合のいずれかの場合に、前記補助上下風向板を前記第２回動範囲に移動させることを特徴とする請求項２に記載の空気調和機。
【請求項４】
前記制御手段は、前記上下風向板が前記第３回動範囲に固定されたときから所定時間が経過した後で、前記補助上下風向板を前記第４回動範囲に移動させることを特徴とする請求項１−３のいずれかに記載の空気調和機。
【請求項５】
前記上下風向板が前記第３回動範囲に固定された場合において、前記上下風向板の後端と前記空気流路の上壁部との距離が、前記上下風向板の後端と前記空気流路の下壁部との距離より小さい状態となり得ることを特徴とする請求項１−４のいずれかに記載の空気調和機。
【請求項６】
前記制御手段は、前記上下風向板を前記第３回動範囲に固定した場合に、前記補助上下風向板を前記第４回動範囲に配置した後で上下方向に揺動させることを特徴とする請求項１に記載の空気調和機。
【発明の詳細な説明】
【技術分野】
【０００１】
本発明は、上下風向板及び補助上下風向板が吹出口の近傍に配置された空気調和機に関するものである。
【背景技術】
【０００２】
従来の空気調和機には、吸込口から吹出口に至る空気流路に配置された送風ファンと、吹出口の近傍に配置された上下風向板と、上下風向板の上方に配置された補助上下風向板とを備えたものがある。上下風向板及び補助上下風向板は、回動可能に支持され、吹出口の長手方向に沿って延びている。したがって、この空気調和機では、例えば冷房運転時において、上下風向板及び補助上下風向板の固定位置を変更して、吹出口から吹き出される冷気の風向を変更することができる。
【先行技術文献】
【特許文献】
【０００３】
【特許文献１】特開２００９−７９８４６号公報
【発明の概要】
【発明が解決しようとする課題】
【０００４】
ところで、従来の空気調和機において、冷房運転時に、補助上下風向板の固定位置を変更しないで、上下風向板の固定位置だけを変更させて、吹出口から吹き出される冷気の風向が変更される場合がある。上下風向板の固定位置が変更されると、送風ファンからの冷気が、上下風向板の後端で分流して、上下風向板の表面側（下方）と裏面側（上方）とにそれぞれ流れる。このとき、上下風向板の固定位置が所定より下向きの場合には、送風ファンからの冷気の大部分が上下風向板の表面側に流れて、送風ファンからの冷気が上下風向板の裏面側にほとんど流れない。したがって、上下風向板の表面と裏面との温度差が大きくなって、上下風向板の裏面に水滴が付くという問題がある。
【０００５】
そこで、本発明の目的は、冷房運転時において上下風向板の裏面に水滴が付くのを防止できる空気調和機を提供することである。
【課題を解決するための手段】
【０００６】
第１の発明にかかる空気調和機は、吸込口から吹出口に至る空気流路に配置された送風ファンと、前記吹出口の近傍において回動可能に支持された上下風向板と、前記上下風向板の上方において回動可能に支持された補助上下風向板と、前記上下風向板及び前記補助上下風向板を制御する制御手段とを備え、前記制御手段は、冷房運転時において、前記上下風向板を第１回動範囲に固定した場合に前記補助上下風向板を第２回動範囲に配置するとともに、前記上下風向板を前記第１回動範囲より下向きの第３回動範囲に固定した場合に、前記補助上下風向板を前記第２回動範囲より下向きの第４回動範囲に配置することを特徴とする。
【０００７】
この空気調和機では、上下風向板が、第１回動範囲より下向きの第３回動範囲に固定された場合に、補助上下風向板が、第２回動範囲より下向きの第４回動範囲に配置されるので、補助上下風向板の近くを流れる冷気が上下風向板の裏面に向かって流れるようになる。したがって、上下風向板が所定より下向きになった場合でも、補助上下風向板の近くの冷気によって上下風向板の裏面側の温度が低下するので、上下風向板の裏面側に水滴が付くのを防止できる。
【０００８】
第２の発明にかかる空気調和機では、第１の発明にかかる空気調和機において、前記制御手段は、前記上下風向板を前記第３回動範囲に固定した場合に、前記補助上下風向板を前記第４回動範囲に固定することを特徴とする。
【０００９】
この空気調和機では、上下風向板が所定より下向きになった場合に、常に、補助上下風向板の近くの冷気が上下風向板の裏面側に向かって流れるので、上下風向板の裏面側に水滴が付くのを防止できる。
【００１０】
第３の発明にかかる空気調和機では、第２の発明にかかる空気調和機において、前記制御手段は、前記上下風向板が前記第３回動範囲に固定され、かつ、前記補助上下風向板が前記第４回動範囲に固定された状態において、冷房運転が停止された場合、前記上下風向板のスイング動作が開始された場合、所定の風向固定モードでの運転が開始された場合、及び、前記上下風向板が前記第１回動範囲に移動した場合のいずれかの場合に、前記補助上下風向板を前記第２回動範囲に移動させることを特徴とする。
【００１１】
この空気調和機では、上下風向板の裏面側に水滴が付くおそれがなくなった場合に、補助上下風向板を上向きに移動させることによって風量が低下するのを抑制できる。
【００１２】
第４の発明にかかる空気調和機は、第１−第３のいずれかの発明にかかる空気調和機において、前記制御手段は、前記上下風向板が前記第３回動範囲に固定されたときから所定時間が経過した後で、前記補助上下風向板を前記第４回動範囲に移動させることを特徴とする。
【００１３】
この空気調和機では、上下風向板が第３回動範囲に固定されたときから所定時間が経過した後で、補助上下風向板が第４回動範囲に移動するので、ユーザが上下風向板を固定する操作を行ったにもかかわらず、補助上下風向板がすぐに下方向に移動するのを防止できる。
【００１４】
第５の発明にかかる空気調和機は、第１−第４のいずれかの発明にかかる空気調和機において、前記上下風向板が前記第３回動範囲に固定された場合において、前記上下風向板の後端と前記空気流路の上壁部との距離が、前記上下風向板の後端と前記空気流路の下壁部との距離より小さい状態となり得ることを特徴とする。
【００１５】
この空気調和機では、上下風向板が所定より下向きになった場合に、上下風向板の裏面側と比べて、上下風向板の表面側に冷気が流れやすい状態であっても、補助上下風向板の近くを流れる冷気が上下風向板の裏面に向かって流れるので、上下風向板の裏面側に水滴が付くのを防止できる。
【００１６】
第６の発明にかかる空気調和機は、第１の発明にかかる空気調和機において、前記制御手段は、前記上下風向板を前記第３回動範囲に固定した場合に、前記補助上下風向板を前記第４回動範囲に配置した後で上下方向に揺動させることを特徴とする。
【００１７】
この空気調和機では、補助上下風向板の近くを流れる冷気を上下風向板の裏面に向かって流れるようにするために、補助上下風向板を第４回動範囲に配置すると風量が低下するが、補助上下風向板を上下方向に揺動させることで風量の低下を抑制できる。
【発明の効果】
【００１８】
以上の説明に述べたように、本発明によれば、以下の効果が得られる。
【００１９】
第１の発明では、上下風向板が、第１回動範囲より下向きの第３回動範囲に固定された場合に、補助上下風向板が、第２回動範囲より下向きの第４回動範囲に配置されるので、補助上下風向板の近くを流れる冷気が上下風向板の裏面に向かって流れるようになる。したがって、上下風向板が所定より下向きになった場合でも、補助上下風向板の近くの冷気によって上下風向板の裏面側の温度が低下するので、上下風向板の裏面側に水滴が付くのを防止できる。
【００２０】
第２の発明では、上下風向板が所定より下向きになった場合に、常に、補助上下風向板の近くの冷気が上下風向板の裏面側に向かって流れるので、上下風向板の裏面側に水滴が付くのを防止できる。
【００２１】
第３の発明では、上下風向板の裏面側に水滴が付くおそれがなくなった場合に、補助上下風向板を上向きに移動させることによって風量が低下するのを抑制できる。
【００２２】
第４の発明では、上下風向板が第３回動範囲に固定されたときから所定時間が経過した後で、補助上下風向板が第４回動範囲に移動するので、ユーザが上下風向板を固定する操作を行ったにもかかわらず、補助上下風向板がすぐに下方向に移動するのを防止できる。
【００２３】
第５の発明では、上下風向板が所定より下向きになった場合に、上下風向板の裏面側と比べて、上下風向板の表面側に冷気が流れやすい状態であっても、補助上下風向板の近くを流れる冷気が上下風向板の裏面に向かって流れるので、上下風向板の裏面側に水滴が付くのを防止できる。
【００２４】
第６の発明では、補助上下風向板の近くを流れる冷気を上下風向板の裏面に向かって流れるようにするために、補助上下風向板を第４回動範囲に配置すると風量が低下するが、補助上下風向板を上下方向に揺動させることで風量の低下を抑制できる。
【図面の簡単な説明】
【００２５】
【図１】本発明の実施形態に係る空気調和機の外観図である。
【図２】上下風向板が第１回動範囲に固定され、補助上下風向板が上限位置に配置された場合の空気調和機の断面図である。
【図３】上下風向板および補助上下風向板がそれぞれ水平位置に配置された場合の空気調和機の断面図である。
【図４】上下風向板が第３回動範囲のうち上回動範囲に固定され、補助上下風向板が第１水滴回避位置に配置された場合の空気調和機の断面図である。
【図５】上下風向板が第３回動範囲のうち下回動範囲に固定され、補助上下風向板が第２水滴回避位置に配置された場合の空気調和機の断面図である。
【図６】上下風向板の回動範囲を示す模式図である。
【図７】補助上下風向板の回動範囲を示す模式図である。
【図８】図１に示す空気調和機の機能ブロック図である。
【図９】図１に示す空気調和機の動作を示すフローチャートである。
【発明を実施するための形態】
【００２６】
以下、図面を参照しつつ本発明の実施形態に係る空気調和機について説明する。
【００２７】
［空気調和機の構成］
本発明の実施形態に係る空気調和機は、図１に示す室内機１と、図示しない室外機とで構成されている。室内機１は、全体として一方向に細長い形状をしており、その長手方向が水平となるように室内の壁面に据え付けられている。なお、以下の説明において、室内機１が取り付けられる壁から突出する方向を「前方」と称し、その反対の方向を「後方」と称する。また、図１に示す左右方向を単に「左右方向」と称する。
【００２８】
［室内機１］
図２に示すように、室内機１は、ケーシング２と、ケーシング２内に収容された送風ファン３、熱交換器４、左右風向板５、上下風向板６、補助上下風向板７等を備えている。
【００２９】
ケーシング２は、略直方体状のグリル１１と、グリル１１の前面を覆う前面パネル１２とを有する。グリル１１の上面には、左右方向に長い格子状の開口である吸込口１３が形成されており、グリル１１の下面には、左右方向に長い矩形状の開口である吹出口１４が形成されている。そして、空調運転（冷房運転または暖房運転）時には、吸込口１３から吹出口１４に至る空気流路に配置された送風ファン３が駆動されることによって吸込口１３から吸い込まれた空気は、熱交換器４において加熱または冷却された後、吹出口１４から室内に吹き出される。
【００３０】
＜上下風向板６＞
上下風向板６は、吹出口１４の近傍に配置され、支持部材１９によって回動可能に支持されている。この上下風向板６は、吹出口１４の長手方向（左右方向）に沿って延びており、上下方向について吹出口１４から吹き出される空気の風向を変更すると共に、吹出口１４の開閉を行う。なお、以下においては、上下風向板６の２つの面のうち下方側を表面６ｓ、上方側を裏面６ｂと称する。
【００３１】
この上下風向板６は、図示しない駆動モータが駆動されることによって、図６に示すように、回動中心Ｏ１を中心に上側構造当たりＰ１（全閉状態）から下側構造当たりＰ２（全開状態）までの範囲を回動できるようになっている。この上下風向板６は、図示しないリモコンの操作によって制御可能であって、図６に示す上限位置から下限位置までの範囲において上下風向板６を往復可動させる「スイング動作」を行うことができる。また、リモコンの操作によって、上下風向板６を上限位置から下限位置までの範囲において所望の位置に固定することができる。
【００３２】
ここで、この上下風向板６の回動範囲は、第１閾値ＣＨＫ１によって、第１回動範囲と、第１回動範囲よりも下向きの第３回動範囲とに分けられる。第１回動範囲は、上側構造当たりＰ１から第１閾値ＣＨＫ１までの範囲を言い、第３回動範囲は、第１閾値ＣＨＫ１から下側構造当たりＰ２までの範囲を言う。この第１回動範囲は、冷房運転時において、上下風向板６の裏面６ｂに水滴が付きにくい範囲を指す。送風ファン３からの冷気が、上下風向板６の表面６ｓ側と裏面６ｂ側とにそれぞれ十分な量流れ、上下風向板６の表面６ｓと裏面６ｂとの温度差が小さい状態となる範囲を意味する（例えば、図２参照）。一方、第３回動範囲は、冷房運転時において、上下風向板６の裏面６ｂに水滴が付きやすい範囲を指す。即ち、上下風向板６が下向きであるために、送風ファン３からの冷気の多くが上下風向板６の表面６ｓ側に流れて、上下風向板６の裏面６ｂ側にほとんど流れず、上下風向板６の表面６ｓと裏面６ｂとの温度差が大きくなる範囲を意味する（例えば、図４、図５参照）。
【００３３】
また、この第３回動範囲は、第２閾値ＣＨＫ２によって、さらに、上回動範囲と、上回動範囲よりも下向きの下回動範囲とに分けられる。上回動範囲は、第１閾値ＣＨＫ１から第２閾値ＣＨＫ２までの範囲を言い、下回動範囲は、第２閾値ＣＨＫ２から下側構造当たりＰ２までの範囲を言う。この下回動範囲は、冷房運転時において、上回動範囲に比べて上下風向板６の裏面６ｂに付く水滴の量が多くなる範囲を指す。即ち、上下風向板６が上回動範囲に比べて下向きであるために、送風ファン３からの冷気の大部分が上下風向板６の表面６ｓ側に流れて、上下風向板６の裏面６ｂ側にほとんど流れず、上下風向板６の表面６ｓと裏面６ｂとの温度差がより大きくなる範囲を意味する（例えば、図５参照）。一方、上回動範囲は、冷房運転時において、上下風向板６の裏面６ｂに水滴は付くものの、その水滴量が下回動範囲に比べると少ない範囲を指す（例えば、図４参照）。
【００３４】
＜補助上下風向板７＞
補助上下風向板７は、図２に示すように、上下風向板６の上方に配置され、支持部材２０によって回動可能に支持されている。この補助上下風向板７は、吹出口１４の長手方向（左右方向）に沿って延びており、上下風向板６と共に上下方向について吹出口１４から吹き出される空気の風向を変更する。
【００３５】
この補助上下風向板７は、図示しない駆動モータが駆動されることによって、図７に示すように、回転中心Ｏ２を中心に上側構造当たりＰ３（全閉状態）から下側構造当たりＰ４（全開状態）までの範囲を回動できるようになっている。なお、この補助上下風向板７は、リモコンの操作によって制御可能なものではなく、その配置位置は、上下風向板６の固定位置などによって自動的に定められる。また、補助上下風向板７は、図７に示す上限位置から下限位置までの範囲において往復可動（「スイング動作」）可能である。
【００３６】
ここで、この補助上下風向板７の回動範囲は、第１閾値Ｔ１によって、第２回動範囲と、第２回動範囲よりも下向きの第４回動範囲とに分けられる。第２回動範囲は、上側構造当たりＰ３から第１閾値Ｔ１までの範囲を言い、第４回動範囲は、第１閾値Ｔ１から下側構造当たりＰ４までの範囲を言う。この第２回動範囲は、冷房運転時において、送風ファン３からの冷気が、補助上下風向板７に当たって、吹出口１４から吹き出される冷気の風量が低下しにくい範囲を指す（例えば、図２参照）。一方、第４回動範囲は、補助上下風向板７が下向きであるために、冷房運転時において、送風ファン３からの冷気の一部が、補助上下風向板７に当たって風向が下向きとなり、補助上下風向板７の近くを流れる冷気が上下風向板６の裏面６ｂに向かって流れやすい範囲を指す（例えば、図４、図５参照）。
【００３７】
また、この第４回動範囲は、第２閾値Ｔ２によって、さらに、上回動範囲と、上回動範囲よりも下向きの下回動範囲とに分けられる。上回動範囲は、第１閾値Ｔ１から第２閾値Ｔ２までの範囲を言い、下回動範囲は、第２閾値Ｔ２から下側構造当たりＰ４までの範囲を言う。この下回動範囲は、上回動範囲に比べて、送風ファン３からの冷気の多くが補助上下風向板７に当たることで、補助上下風向板７の近くを流れる冷気のより多くが上下風向板６の裏面６ｂに向かって流れやすい範囲を指す（例えば、図５参照）。
【００３８】
＜空気流路＞
吸込口１３から吹出口１４に至る空気流路のうち左右風向板５から吹出口１４に至る空気流路の上壁部１５は、図２に示すように、前方に向かって下向きに傾斜した第１上壁部１６（上壁部）と、第１上壁部１６の前方において空気流路が広がるように配置された第２上壁部１７によって形成されている。第２上壁部１７は、具体的には、前方に向かって略水平に延在しており、補助上下風向板７は、この第２上壁部１７の近傍に配置されている。また、左右風向板５から吹出口１４に至る空気流路の下壁部１８は、グリル１１によって形成されており、前方に向かって下向きに傾斜している。
【００３９】
［リモコン］
図示しないリモコンは、図１に示す室内機１および図示しない室外機と赤外線通信可能であって、室内機１及び室外機の制御に係る各種指令をユーザの操作に応じて送信する。このリモコンにより、ユーザは、上下風向板６の固定位置、上下風向板６の「スイング動作」、「水平吹きモードでの運転（所定の風向固定モードでの運転）」、冷房運転、暖房運転、除湿運転などの各運転モード、設定温度などを選択できる。
【００４０】
ここで、「水平吹きモードでの運転」とは、冷房運転時において、図３に示すように、上下風向板６および補助上下風向板７を略水平向きに固定し、吹出口１４から略水平方向に冷気を吹き出す運転を言う。以下、上下風向板６および補助上下風向板７が略水平向きに固定されたときの上下風向板６および補助上下風向板７の位置を水平位置と称する。なお、上下風向板６の水平位置は、図６に示す第１回動範囲内にあり、補助上下風向板７の水平位置は、図７に示す第２回動範囲内にある。
【００４１】
［制御部８］
制御部８（制御手段）は、ＣＰＵ（Central Processing Unit）、ＲＯＭ（Read Only Memory）、ＲＡＭ（Random Access Memory）などの複数のハードウェアから構成されている。ＲＯＭには、制御部８の動作を制御する制御プログラムなどが格納されている。そして、この制御部８は、図８に示すように、タイマ部８ａを有し、送風ファン３、左右風向板５、上下風向板６、補助上下風向板７と電気的に接続されている。
【００４２】
この制御部８は、冷房運転時において、リモコンの操作などを受けて上下風向板６を、第１回動範囲のいずれかに固定した場合、補助上下風向板７を第２回動範囲の上限位置に配置する。ここで、図２は、上下風向板６が第１回動範囲のある所定の位置に固定され、補助上下風向板７が第２回動範囲の上限位置に配置された場合の様子を示している。この上限位置（補助上下風向板７のスイング動作の上限位置）は、図２に示すように、補助上下風向板７が第１上壁部１６を延長した面Ｓより第２上壁部１７側に配置され、かつ補助上下風向板７の裏面（上面）と第２上壁部１７との間に隙間ができる位置である。
【００４３】
図２に示すように、上下風向板６が第１回動範囲のある所定の位置に固定された場合には、送風ファン３からの冷気が、上下風向板の表面６ｓ側および裏面６ｂ側の両方に十分な量流れる。したがって、上下風向板６の表面６ｓと裏面６ｂとの温度差が小さく、上下風向板６の裏面６ｂに水滴が付くことはほとんどない。そのため、送風ファン３からの冷気が補助上下風向板７に当たらないように、補助上下風向板７を第２回動範囲の上限位置に配置して、吹出口１４から吹き出される冷気の風量を確保している。
【００４４】
また、この制御部８は、冷房運転時において、リモコンの操作などを受けて上下風向板６を、第３回動範囲に固定した場合、補助上下風向板７を第４回動範囲に固定する。具体的には、上下風向板６を、第３回動範囲のうち上回動範囲のいずれかに固定した場合、補助上下風向板７を第４回動範囲のうち上回動範囲にある第１水滴回避位置ＫＡＩＨＩ１に固定する。
【００４５】
ここで、図４は、上下風向板６が第３回動範囲のうち上回動範囲のある所定の位置に固定され、補助上下風向板７が第１水滴回避位置ＫＡＩＨＩ１に固定された場合の様子を示している。図４に示すように、上下風向板６が第３回動範囲のうち上回動範囲に固定された場合には、送風ファン３からの冷気の多くが、上下風向板６の表面６ｓ側に流れて、送風ファン３からの冷気が上下風向板６の裏面６ｂ側にほとんど流れない。したがって、補助上下風向板７が第２回動範囲の例えば上限位置に配置されている場合には、上下風向板６の表面６ｓと裏面６ｂとの温度差が大きくなって、上下風向板６の裏面６ｂに水滴が付きやすい。そのため、補助上下風向板７を上限位置より下向きの第１水滴回避位置ＫＡＩＨＩ１に固定して、図４の矢印（冷気の流れ）で示すように、送風ファン３からの冷気の一部を補助上下風向板７に当て、補助上下風向板７の近くを流れる冷気を上下風向板６の裏面６ｂに向かって流すことで、上下風向板６の裏面６ｂに水滴が付くことを防止している。
【００４６】
また、この制御部８は、上下風向板６を、第３回動範囲のうち下回動範囲のいずれかに固定した場合、補助上下風向板７を第４回動範囲のうち下回動範囲にある第２水滴回避位置ＫＡＩＨＩ２に固定する。
【００４７】
ここで、図５は、上下風向板６が第３回動範囲のうち下回動範囲のある所定の位置に固定され、補助上下風向板７が第２水滴回避位置ＫＡＩＨＩ２に固定された場合の様子を示している。図５に示すように、上下風向板６が第３回動範囲のうち下回動範囲に固定された場合には、送風ファン３からの冷気の大部分が、上下風向板６の表面６ｓ側に流れて、送風ファン３からの冷気が上下風向板６の裏面６ｂ側にほとんど流れない。したがって、上下風向板６が第３回動範囲のうち上回動範囲に固定された場合よりも、上下風向板６の表面６ｓと裏面６ｂとの温度差がさらに大きくなって、上下風向板６の裏面６ｂに多くの水滴が付く。そのため、補助上下風向板７を第１水滴回避位置ＫＡＩＨＩ１よりもさらに下向きの第２水滴回避位置ＫＡＩＨＩ２に固定して、補助上下風向板７の近くを流れる冷気の多くを上下風向板６の裏面６ｂに向かって流すことで、上下風向板６の裏面６ｂに水滴が付くことを防止している。
【００４８】
なお、図５においては、上下風向板６の後端６ｅと第１上壁部１６（上壁部）との距離ａが、上下風向板６の後端６ｅと下壁部１８との距離ｂより小さく、送風ファン３からの冷気が、上下風向板６の裏面６ｂ側よりも表面６ｓ側に流れやすい状態となっている。
【００４９】
また、この制御部８は、上下風向板６を第３回動範囲に固定させたときから所定時間が経過した後で補助上下風向板７を第４回動範囲に移動させる。
【００５０】
また、この制御部８は、冷房運転時に、上下風向板６が第３回動範囲のある所定の位置に固定され、かつ補助上下風向板７が第４回動範囲（第１水滴回避位置ＫＡＩＨＩ１、又は第２水滴回避位置ＫＡＩＨＩ２）に固定された状態において、リモコンの操作などによって冷房運転が停止された場合、上下風向板６の「スイング動作」が開始された場合、「水平吹きモードでの運転」が開始された場合、及び、上下風向板６が第３回動範囲から第１回動範囲に移動した場合のいずれかの場合に、補助上下風向板７を第４回動範囲から第２回動範囲に移動させる。
【００５１】
具体的には、制御部８は、上下風向板６の「スイング動作」が開始された場合、および、上下風向板６が第３回動範囲から第１回動範囲に移動した場合、補助上下風向板７を第４回動範囲から第２回動範囲の上限位置に移動させる。また、「水平吹きモードでの運転」が開始された場合、上下風向板６を第１回動範囲内にある水平位置に移動させ、補助上下風向板７を第２回動範囲内にある水平位置に移動させる。また、冷房運転が停止された場合とは、空気調和機の運転が停止された場合と冷房運転から他の運転モードに切り換わった場合とがあるが、空気調和機の運転が停止された場合には、補助上下風向板７を第２回動範囲の上側構造当たりＰ３（全閉状態）に移動させる。一方、冷房運転から他の運転モードに切り換わった場合には、補助上下風向板７を一旦、第２回動範囲の上限位置に移動させる。
【００５２】
タイマ部８ａは、上下風向板６が第３回動範囲に固定されてから所定時間が経過したか否かを判断する際の所定時間を計測するためのタイマを駆動制御する。
【００５３】
［フロー］
次に、図９を参照して本実施形態に係る空気調和機の冷房運転時における動作（フロー）について説明する。
【００５４】
まず、制御部８が冷房運転中であるか否かを判断する（Ｓ１）。冷房運転中でない場合（Ｓ１：Ｎｏ）、ステップＳ１を繰り返す。一方、冷房運転中である場合（Ｓ１：Ｙｅｓ）、上下風向板６がスイング動作中であるか否かを判断する（Ｓ２）。上下風向板６がスイング動作中である場合（Ｓ２：Ｙｅｓ）、補助上下風向板７を第２回動範囲（より詳しくは、第２回動範囲の上限位置）に配置する（Ｓ３）。一方、上下風向板６がスイング動作中でない場合（Ｓ２：Ｎｏ）、水平吹きモードでの運転が行われているか否かを判断する（Ｓ４）。
【００５５】
水平吹きモードでの運転が行われている場合（Ｓ４：Ｙｅｓ）、補助上下風向板７を第２回動範囲（より詳しくは、第２回動範囲にある水平位置）に配置する（Ｓ３）。一方、水平吹きモードでの運転が行われていない場合（Ｓ４：Ｎｏ）、上下風向板６が第１回動範囲に固定されているか否かを判断する（Ｓ５）。上下風向板６が第１回動範囲に固定されている場合（Ｓ５：Ｙｅｓ）、補助上下風向板７を第２回動範囲（より詳しくは、第２回動範囲の上限位置）に配置する（Ｓ３）。一方、上下風向板６が第１回動範囲に固定されていない場合（Ｓ５：Ｎｏ）、上下風向板６が第３回動範囲に固定されているか否かを判断する（Ｓ６）。
【００５６】
そして、上下風向板６が第３回動範囲に固定されている場合（Ｓ６：Ｙｅｓ）、タイマ部８ａによるタイマのカウントを開始する（Ｓ７）。一方、上下風向板６が第３回動範囲に固定されていない場合（Ｓ６：Ｎｏ）、ステップＳ１に戻る。
【００５７】
ステップＳ８では、リセット条件を満たすか否かを判断する。ここで、リセット条件とは、上下風向板６が第３回動範囲に固定された状態において、リモコンの操作などによって冷房運転が停止された場合、上下風向板６の「スイング動作」が開始された場合、「水平吹きモードでの運転」が開始された場合、および、上下風向板６が第３回動範囲から第１回動範囲に移動した場合のいずれかである。そして、タイマのカウント中にリセット条件を満たす場合（Ｓ８：Ｙｅｓ）、タイマのカウントをリセットすると共に、補助上下風向板７を第２回動範囲に配置する（Ｓ３）。
【００５８】
一方、リセット条件を満たさない場合（Ｓ８：Ｎｏ）、タイマのカウントが所定時間を超えたか否かを判断する（Ｓ９）。所定時間を超えた場合（Ｓ９：Ｙｅｓ）、上下風向板６が第３回動範囲の下回動範囲に固定されているか否かを判断する（Ｓ１０）。一方、所定時間を超えていない場合（Ｓ９：Ｎｏ）、ステップＳ８に戻る。
【００５９】
ステップＳ１０で、上下風向板６が第３回動範囲の下回動範囲に固定されている場合（Ｓ１０：Ｙｅｓ）、補助上下風向板７を第２水滴回避位置ＫＡＩＨＩ２（第４回動範囲のうち下回動範囲）に固定する。一方、上下風向板６が第３回動範囲の下回動範囲に固定されていない場合（Ｓ１０：Ｎｏ）、即ち、上下風向板６が第３回動範囲の上回動範囲に固定されている場合、補助上下風向板７を第１水滴回避位置ＫＡＩＨＩ１（第４回動範囲の上回動範囲）に固定する。ステップＳ１１及びステップＳ１２の後は、タイマをリセットし、ステップＳ１に戻る。
【００６０】
［本実施形態の空気調和機の特徴］
本実施形態の空気調和機には、以下の特徴がある。
【００６１】
この空気調和機では、冷房運転時において、上下風向板６が、第１回動範囲より下向きの第３回動範囲に固定された場合に、補助上下風向板７が、第２回動範囲より下向きの第４回動範囲に固定されるので、補助上下風向板７の近くを流れる冷気が上下風向板６の裏面６ｂに向かって流れるようになる。したがって、上下風向板６が所定（第１閾値ＣＨＫ１）より下向きになった場合でも、補助上下風向板７の近くの冷気によって上下風向板６の裏面６ｂ側の温度が低下するので、上下風向板６の裏面６ｂ側に水滴が付くのを防止できる。また、補助上下風向板７が、第４回動範囲に固定されるので、常に、補助上下風向板７の近くの冷気が上下風向板６の裏面６ｂ側に向かって流れ、より上下風向板６の裏面６ｂ側に水滴が付くのを防止できる。
【００６２】
また、上下風向板６が第３回動範囲に固定され、かつ、補助上下風向板７が第４回動範囲に固定された状態において、冷房運転が停止された場合、上下風向板６の「スイング動作」が開始された場合、「水平吹きモードでの運転」が開始された場合、及び、上下風向板６が第１回動範囲に移動した場合のいずれかの場合に、補助上下風向板７が第２回動範囲に移動するので、上下風向板６の裏面側に水滴が付くおそれがなくなった場合に、補助上下風向板７を上向きに移動させることによって風量が低下するのを抑制できる。
【００６３】
また、上下風向板６が第３回動範囲に固定されたときから所定時間が経過した後で、補助上下風向板７が第４回動範囲に移動するので、ユーザが上下風向板６を固定する操作を行ったにもかかわらず、補助上下風向板７がすぐに下方向に移動するのを防止できる。その結果、ユーザが上下風向板６を第３回動範囲に固定した場合に、補助上下風向板７がすぐに下方向に移動することにより生じる違和感をユーザに与えることがない。
【００６４】
また、上下風向板６が所定（第１閾値ＣＨＫ１）より下向きになった場合に、上下風向板６の後端６ｅと空気流路の第１上壁部１６との距離ａが、上下風向板６の後端６ｅと空気流路の下壁部１８との距離ｂよりも小さい状態となり、上下風向板６の裏面６ｂ側と比べて、上下風向板６の表面６ｓ側に冷気が流れやすい状態であっても、補助上下風向板７の近くを流れる冷気が上下風向板６の裏面６ｂに向かって流れるので、上下風向板６の裏面６ｂ側に水滴が付くのを防止できる。
【００６５】
また、上下風向板６が第３回動範囲のうち上回動範囲に固定された場合に、補助上下風向板７が第１水滴回避位置ＫＡＩＨＩ１（第４回動範囲のうち上回動範囲）に固定され、上下風向板６が第３回動範囲のうち下回動範囲に固定された場合に、補助上下風向板７が第２水滴回避位置ＫＡＩＨＩ２（第４回動範囲のうち下回動範囲）に固定される。そのため、上下風向板６が所定（第２閾値ＣＨＫ２）より下向きになって、送風ファン３からの冷気が上下風向板６の表面６ｓ側に流れやすくなった場合であっても、補助上下風向板７が所定（第２閾値Ｔ２）より下向きになって、補助上下風向板７の近くを流れる冷気が上下風向板６の裏面６ｂに向かってより流れやすくなるので、上下風向板６の裏面６ｂ側に水滴が付くのを防止できる。
【００６６】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００６７】
［変形例］
本実施形態の空気調和機では、上下風向板６が、第１回動範囲より下向きの第３回動範囲に固定された場合に、補助上下風向板７を第２回動範囲より下向きの第４回動範囲に固定することとしたが、補助上下風向板７を第２回動範囲より下向きの第４回動範囲に配置し、その後、補助上下風向板７を上下方向に揺動させてもよい。
【００６８】
ここで、補助上下風向板７を上下方向に揺動させるとは、具体的には、補助上下風向板７を第４回動範囲に所定時間配置し、その後、補助上下風向板７を第２回動範囲に移動させて、第２回動範囲に所定時間配置し、また、第４回動範囲に移動させることを繰り返して、補助上下風向板７を第４回動範囲と第２回動範囲との間で往復可動させることを意味する。但し、第２回動範囲および第４回動範囲に所定時間配置する必要はなく、スイング（常に可動）させてもよい。また、どこを基準にどの範囲揺動させるかは適宜選択でき、例えば、補助上下風向板７を第４回動範囲に配置された位置を中心に第４回動範囲内で揺動させるようにしてもよい。
【００６９】
この空気調和機では、補助上下風向板７の近くを流れる冷気を上下風向板６の裏面６ｂに向かって流れるようにするために、補助上下風向板７を第４回動範囲に配置すると風量が低下するが、補助上下風向板７を上下方向に揺動させることで風量の低下を抑制できる。
【００７０】
また、本実施形態の空気調和機では、上下風向板６が第１回動範囲に固定された場合において、多くの風量が得られるよう補助上下風向板７を第２回動範囲の上限位置に配置したが、補助上下風向板７は第２回動範囲のいずれかに配置されればよい。
【００７１】
また、本実施形態の空気調和機では、第３回動範囲および第４回動範囲を上回動範囲と下回動範囲とに分けたが、上回動範囲と下回動範囲とに分ける必要はない。即ち、上下風向板６が第３回動範囲に固定された場合、補助上下風向板７が第４回動範囲のいずれかに固定されればよい。
また、第３回動範囲および第４回動範囲を３つ以上の範囲に分けてもよい。
【００７２】
また、本実施形態の空気調和機では、上下風向板６が第３回動範囲の上回動範囲に固定された場合に、補助上下風向板７を第４回動範囲の上回動範囲に固定し、上下風向板６が第３回動範囲の下回動範囲に固定された場合に、補助上下風向板７を第４回動範囲の下回動範囲に固定したが、上下風向板６が固定される位置が下向きになるにつれて、補助上下風向板７が固定される位置を徐々（例えば、比例的）に下向きにしてもよい。
【００７３】
また、本実施形態の空気調和機では、上側構造当たりＰ１から第１閾値ＣＨＫ１までを第１回動範囲とし、第１閾値ＣＨＫ１から下側構造当たりＰ２までを第３回動範囲としたが、第１回動範囲および第３回動範囲は、第３回動範囲が第１回動範囲よりも下向きであれば、どの範囲であってもよい。
【００７４】
また、本実施形態の空気調和機では、上側構造当たりＰ３から第１閾値Ｔ１までを第２回動範囲とし、第２閾値Ｔ２から下側構造当たりＰ４までを第４回動範囲としたが、第２回動範囲および第４回動範囲は、第４回動範囲が第２回動範囲よりも下向きであれば、どの範囲であってもよい。また、第２回動範囲と第４回動範囲とが連続している必要もない。
【００７５】
また、本実施形態の空気調和機では、上下風向板６が第３回動範囲に固定されたときから所定時間が経過した後で、補助上下風向板７を第４回動範囲に移動させることとしたが、必ずしも所定時間が経過した後で補助上下風向板７を移動させる必要はない。
【００７６】
また、本実施形態の空気調和機では、補助上下風向板７は、リモコン操作によって制御不可としたが、リモコン操作によって制御可能であってもよい。
【００７７】
また、本実施形態の空気調和機では、左右風向板５を備えているが、左右風向板５はなくてもよい。
【００７８】
また、本実施形態の空気調和機では、空気調和機の機能として「スイング動作」を備えているが、当該機能はなくてもよい。
【００７９】
また、本実施形態の空気調和機では、空気調和機の機能として、上下風向板６および補助上下風向板７を水平位置に固定する「水平吹きモード」を備えたが、風向は「水平吹き」に限定されるものではなく、上下風向板６および補助上下風向板７を所定の風向に固定するものであればよい。また、「水平吹きモード」はなくてもよい。
【００８０】
また、空気調和機の除湿運転時に、冷房運転時と同様の動作が行われるようにしてもよい。
【産業上の利用可能性】
【００８１】
本発明を利用すれば、冷房運転時において上下風向板の裏面に水滴が付くのを防止できる。
【符号の説明】
【００８２】
１  室内機（空気調和機）
３  送風ファン
６  上下風向板
６ｓ  表面
６ｂ  裏面
６ｅ  後端
７  補助上下風向板
８  制御部（制御手段）
１３  吸込口
１４  吹出口
１５  上壁部
１６  第１上壁部（上壁部）
１８  下壁部
【図１】
2014070758.tif 000003
【図２】
2014070758.tif 000004
【図３】
2014070758.tif 000005
【図４】
2014070758.tif 000006
【図５】
2014070758.tif 000007
【図６】
2014070758.tif 000008
【図７】
2014070758.tif 000009
【図８】
2014070758.tif 000010
【図９】
2014070758.tif 000011
【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
吸込口から吹出口に至る空気流路に配置された送風ファンと、
前記吹出口の近傍において回動可能に支持された上下風向板と、
前記上下風向板の上方において回動可能に支持された補助上下風向板と、
前記上下風向板及び前記補助上下風向板を制御する制御手段とを備え、
前記制御手段は、
冷房運転時において、前記上下風向板を第１回動範囲に固定した場合に前記補助上下風向板を第２回動範囲に配置するとともに、前記上下風向板を前記第１回動範囲より下向きの第３回動範囲に固定した場合に、前記補助上下風向板を前記第２回動範囲より下向きの第４回動範囲に配置するとともに、前記補助上下風向板を前記第４回動範囲に配置した後で上下方向に揺動させることを特徴とする空気調和機。
【請求項２】
前記制御手段は、前記上下風向板が前記第３回動範囲に固定されたときから所定時間が経過した後で、前記補助上下風向板を前記第４回動範囲に移動させることを特徴とする請求項１に記載の空気調和機。
【請求項３】
前記上下風向板が前記第３回動範囲に固定された場合において、前記上下風向板の後端と前記空気流路の上壁部との距離が、前記上下風向板の後端と前記空気流路の下壁部との距離より小さい状態となり得ることを特徴とする請求項１または２に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、上下風向板及び補助上下風向板が吹出口の近傍に配置された空気調和機に関するものである。
【背景技術】
【０００２】
従来の空気調和機には、吸込口から吹出口に至る空気流路に配置された送風ファンと、吹出口の近傍に配置された上下風向板と、上下風向板の上方に配置された補助上下風向板とを備えたものがある。上下風向板及び補助上下風向板は、回動可能に支持され、吹出口の長手方向に沿って延びている。したがって、この空気調和機では、例えば冷房運転時において、上下風向板及び補助上下風向板の固定位置を変更して、吹出口から吹き出される冷気の風向を変更することができる。
【先行技術文献】
【特許文献】
【０００３】
【特許文献１】特開２００９−７９８４６号公報
【発明の概要】
【発明が解決しようとする課題】
【０００４】
ところで、従来の空気調和機において、冷房運転時に、補助上下風向板の固定位置を変更しないで、上下風向板の固定位置だけを変更させて、吹出口から吹き出される冷気の風向が変更される場合がある。上下風向板の固定位置が変更されると、送風ファンからの冷気が、上下風向板の後端で分流して、上下風向板の表面側（下方）と裏面側（上方）とにそれぞれ流れる。このとき、上下風向板の固定位置が所定より下向きの場合には、送風ファンからの冷気の大部分が上下風向板の表面側に流れて、送風ファンからの冷気が上下風向板の裏面側にほとんど流れない。したがって、上下風向板の表面と裏面との温度差が大きくなって、上下風向板の裏面に水滴が付くという問題がある。
【０００５】
そこで、本発明の目的は、冷房運転時において上下風向板の裏面に水滴が付くのを防止できる空気調和機を提供することである。
【課題を解決するための手段】
【０００６】
第１の発明にかかる空気調和機は、吸込口から吹出口に至る空気流路に配置された送風ファンと、前記吹出口の近傍において回動可能に支持された上下風向板と、前記上下風向板の上方において回動可能に支持された補助上下風向板と、前記上下風向板及び前記補助上下風向板を制御する制御手段とを備え、前記制御手段は、冷房運転時において、前記上下風向板を第１回動範囲に固定した場合に前記補助上下風向板を第２回動範囲に配置するとともに、前記上下風向板を前記第１回動範囲より下向きの第３回動範囲に固定した場合に、前記補助上下風向板を前記第２回動範囲より下向きの第４回動範囲に配置するとともに、前記補助上下風向板を前記第４回動範囲に配置した後で上下方向に揺動させることを特徴とする。
【０００７】
この空気調和機では、上下風向板が、第１回動範囲より下向きの第３回動範囲に固定された場合に、補助上下風向板が、第２回動範囲より下向きの第４回動範囲に配置されるので、補助上下風向板の近くを流れる冷気が上下風向板の裏面に向かって流れるようになる。したがって、上下風向板が所定より下向きになった場合でも、補助上下風向板の近くの冷気によって上下風向板の裏面側の温度が低下するので、上下風向板の裏面側に水滴が付くのを防止できる。
この空気調和機では、補助上下風向板の近くを流れる冷気を上下風向板の裏面に向かって流れるようにするために、補助上下風向板を第４回動範囲に配置すると風量が低下するが、補助上下風向板を上下方向に揺動させることで風量の低下を抑制できる。
【０００８】
【０００９】
【００１０】
【００１１】
【００１２】
第２の発明にかかる空気調和機は、第１の発明にかかる空気調和機において、前記制御手段は、前記上下風向板が前記第３回動範囲に固定されたときから所定時間が経過した後で、前記補助上下風向板を前記第４回動範囲に移動させることを特徴とする。
【００１３】
この空気調和機では、上下風向板が第３回動範囲に固定されたときから所定時間が経過した後で、補助上下風向板が第４回動範囲に移動するので、ユーザが上下風向板を固定する操作を行ったにもかかわらず、補助上下風向板がすぐに下方向に移動するのを防止できる。
【００１４】
第３の発明にかかる空気調和機は、第１または第２の発明にかかる空気調和機において、前記上下風向板が前記第３回動範囲に固定された場合において、前記上下風向板の後端と前記空気流路の上壁部との距離が、前記上下風向板の後端と前記空気流路の下壁部との距離より小さい状態となり得ることを特徴とする。
【００１５】
この空気調和機では、上下風向板が所定より下向きになった場合に、上下風向板の裏面側と比べて、上下風向板の表面側に冷気が流れやすい状態であっても、補助上下風向板の近くを流れる冷気が上下風向板の裏面に向かって流れるので、上下風向板の裏面側に水滴が付くのを防止できる。
【００１６】
【００１７】
【発明の効果】
【００１８】
以上の説明に述べたように、本発明によれば、以下の効果が得られる。
【００１９】
第１の発明では、上下風向板が、第１回動範囲より下向きの第３回動範囲に固定された場合に、補助上下風向板が、第２回動範囲より下向きの第４回動範囲に配置されるので、補助上下風向板の近くを流れる冷気が上下風向板の裏面に向かって流れるようになる。したがって、上下風向板が所定より下向きになった場合でも、補助上下風向板の近くの冷気によって上下風向板の裏面側の温度が低下するので、上下風向板の裏面側に水滴が付くのを防止できる。
第１の発明では、補助上下風向板の近くを流れる冷気を上下風向板の裏面に向かって流れるようにするために、補助上下風向板を第４回動範囲に配置すると風量が低下するが、補助上下風向板を上下方向に揺動させることで風量の低下を抑制できる。
【００２０】
【００２１】
【００２２】
第２の発明では、上下風向板が第３回動範囲に固定されたときから所定時間が経過した後で、補助上下風向板が第４回動範囲に移動するので、ユーザが上下風向板を固定する操作を行ったにもかかわらず、補助上下風向板がすぐに下方向に移動するのを防止できる。
【００２３】
第３の発明では、上下風向板が所定より下向きになった場合に、上下風向板の裏面側と比べて、上下風向板の表面側に冷気が流れやすい状態であっても、補助上下風向板の近くを流れる冷気が上下風向板の裏面に向かって流れるので、上下風向板の裏面側に水滴が付くのを防止できる。
【００２４】
【図面の簡単な説明】
【００２５】
【図１】本発明の参考例および実施形態に係る空気調和機の外観図である。
【図２】上下風向板が第１回動範囲に固定され、補助上下風向板が上限位置に配置された場合の空気調和機の断面図である。
【図３】上下風向板および補助上下風向板がそれぞれ水平位置に配置された場合の空気調和機の断面図である。
【図４】上下風向板が第３回動範囲のうち上回動範囲に固定され、補助上下風向板が第１水滴回避位置に配置された場合の空気調和機の断面図である。
【図５】上下風向板が第３回動範囲のうち下回動範囲に固定され、補助上下風向板が第２水滴回避位置に配置された場合の空気調和機の断面図である。
【図６】上下風向板の回動範囲を示す模式図である。
【図７】補助上下風向板の回動範囲を示す模式図である。
【図８】図１に示す空気調和機の機能ブロック図である。
【図９】図１に示す空気調和機の動作を示すフローチャートである。
【発明を実施するための形態】
【００２６】
以下、図面を参照しつつ本発明の参考例および実施形態に係る空気調和機について説明する。
【００２７】
［空気調和機の構成］
本発明の参考例および実施形態に係る空気調和機は、図１に示す室内機１と、図示しない室外機とで構成されている。室内機１は、全体として一方向に細長い形状をしており、その長手方向が水平となるように室内の壁面に据え付けられている。なお、以下の説明において、室内機１が取り付けられる壁から突出する方向を「前方」と称し、その反対の方向を「後方」と称する。また、図１に示す左右方向を単に「左右方向」と称する。
【００２８】
［室内機１］
図２に示すように、室内機１は、ケーシング２と、ケーシング２内に収容された送風ファン３、熱交換器４、左右風向板５、上下風向板６、補助上下風向板７等を備えている。
【００２９】
ケーシング２は、略直方体状のグリル１１と、グリル１１の前面を覆う前面パネル１２とを有する。グリル１１の上面には、左右方向に長い格子状の開口である吸込口１３が形成されており、グリル１１の下面には、左右方向に長い矩形状の開口である吹出口１４が形成されている。そして、空調運転（冷房運転または暖房運転）時には、吸込口１３から吹出口１４に至る空気流路に配置された送風ファン３が駆動されることによって吸込口１３から吸い込まれた空気は、熱交換器４において加熱または冷却された後、吹出口１４から室内に吹き出される。
【００３０】
＜上下風向板６＞
上下風向板６は、吹出口１４の近傍に配置され、支持部材１９によって回動可能に支持されている。この上下風向板６は、吹出口１４の長手方向（左右方向）に沿って延びており、上下方向について吹出口１４から吹き出される空気の風向を変更すると共に、吹出口１４の開閉を行う。なお、以下においては、上下風向板６の２つの面のうち下方側を表面６ｓ、上方側を裏面６ｂと称する。
【００３１】
この上下風向板６は、図示しない駆動モータが駆動されることによって、図６に示すように、回動中心Ｏ１を中心に上側構造当たりＰ１（全閉状態）から下側構造当たりＰ２（全開状態）までの範囲を回動できるようになっている。この上下風向板６は、図示しないリモコンの操作によって制御可能であって、図６に示す上限位置から下限位置までの範囲において上下風向板６を往復可動させる「スイング動作」を行うことができる。また、リモコンの操作によって、上下風向板６を上限位置から下限位置までの範囲において所望の位置に固定することができる。
【００３２】
ここで、この上下風向板６の回動範囲は、第１閾値ＣＨＫ１によって、第１回動範囲と、第１回動範囲よりも下向きの第３回動範囲とに分けられる。第１回動範囲は、上側構造当たりＰ１から第１閾値ＣＨＫ１までの範囲を言い、第３回動範囲は、第１閾値ＣＨＫ１から下側構造当たりＰ２までの範囲を言う。この第１回動範囲は、冷房運転時において、上下風向板６の裏面６ｂに水滴が付きにくい範囲を指す。送風ファン３からの冷気が、上下風向板６の表面６ｓ側と裏面６ｂ側とにそれぞれ十分な量流れ、上下風向板６の表面６ｓと裏面６ｂとの温度差が小さい状態となる範囲を意味する（例えば、図２参照）。一方、第３回動範囲は、冷房運転時において、上下風向板６の裏面６ｂに水滴が付きやすい範囲を指す。即ち、上下風向板６が下向きであるために、送風ファン３からの冷気の多くが上下風向板６の表面６ｓ側に流れて、上下風向板６の裏面６ｂ側にほとんど流れず、上下風向板６の表面６ｓと裏面６ｂとの温度差が大きくなる範囲を意味する（例えば、図４、図５参照）。
【００３３】
また、この第３回動範囲は、第２閾値ＣＨＫ２によって、さらに、上回動範囲と、上回動範囲よりも下向きの下回動範囲とに分けられる。上回動範囲は、第１閾値ＣＨＫ１から第２閾値ＣＨＫ２までの範囲を言い、下回動範囲は、第２閾値ＣＨＫ２から下側構造当たりＰ２までの範囲を言う。この下回動範囲は、冷房運転時において、上回動範囲に比べて上下風向板６の裏面６ｂに付く水滴の量が多くなる範囲を指す。即ち、上下風向板６が上回動範囲に比べて下向きであるために、送風ファン３からの冷気の大部分が上下風向板６の表面６ｓ側に流れて、上下風向板６の裏面６ｂ側にほとんど流れず、上下風向板６の表面６ｓと裏面６ｂとの温度差がより大きくなる範囲を意味する（例えば、図５参照）。一方、上回動範囲は、冷房運転時において、上下風向板６の裏面６ｂに水滴は付くものの、その水滴量が下回動範囲に比べると少ない範囲を指す（例えば、図４参照）。
【００３４】
＜補助上下風向板７＞
補助上下風向板７は、図２に示すように、上下風向板６の上方に配置され、支持部材２０によって回動可能に支持されている。この補助上下風向板７は、吹出口１４の長手方向（左右方向）に沿って延びており、上下風向板６と共に上下方向について吹出口１４から吹き出される空気の風向を変更する。
【００３５】
この補助上下風向板７は、図示しない駆動モータが駆動されることによって、図７に示すように、回転中心Ｏ２を中心に上側構造当たりＰ３（全閉状態）から下側構造当たりＰ４（全開状態）までの範囲を回動できるようになっている。なお、この補助上下風向板７は、リモコンの操作によって制御可能なものではなく、その配置位置は、上下風向板６の固定位置などによって自動的に定められる。また、補助上下風向板７は、図７に示す上限位置から下限位置までの範囲において往復可動（「スイング動作」）可能である。
【００３６】
ここで、この補助上下風向板７の回動範囲は、第１閾値Ｔ１によって、第２回動範囲と、第２回動範囲よりも下向きの第４回動範囲とに分けられる。第２回動範囲は、上側構造当たりＰ３から第１閾値Ｔ１までの範囲を言い、第４回動範囲は、第１閾値Ｔ１から下側構造当たりＰ４までの範囲を言う。この第２回動範囲は、冷房運転時において、送風ファン３からの冷気が、補助上下風向板７に当たって、吹出口１４から吹き出される冷気の風量が低下しにくい範囲を指す（例えば、図２参照）。一方、第４回動範囲は、補助上下風向板７が下向きであるために、冷房運転時において、送風ファン３からの冷気の一部が、補助上下風向板７に当たって風向が下向きとなり、補助上下風向板７の近くを流れる冷気が上下風向板６の裏面６ｂに向かって流れやすい範囲を指す（例えば、図４、図５参照）。
【００３７】
また、この第４回動範囲は、第２閾値Ｔ２によって、さらに、上回動範囲と、上回動範囲よりも下向きの下回動範囲とに分けられる。上回動範囲は、第１閾値Ｔ１から第２閾値Ｔ２までの範囲を言い、下回動範囲は、第２閾値Ｔ２から下側構造当たりＰ４までの範囲を言う。この下回動範囲は、上回動範囲に比べて、送風ファン３からの冷気の多くが補助上下風向板７に当たることで、補助上下風向板７の近くを流れる冷気のより多くが上下風向板６の裏面６ｂに向かって流れやすい範囲を指す（例えば、図５参照）。
【００３８】
＜空気流路＞
吸込口１３から吹出口１４に至る空気流路のうち左右風向板５から吹出口１４に至る空気流路の上壁部１５は、図２に示すように、前方に向かって下向きに傾斜した第１上壁部１６（上壁部）と、第１上壁部１６の前方において空気流路が広がるように配置された第２上壁部１７によって形成されている。第２上壁部１７は、具体的には、前方に向かって略水平に延在しており、補助上下風向板７は、この第２上壁部１７の近傍に配置されている。また、左右風向板５から吹出口１４に至る空気流路の下壁部１８は、グリル１１によって形成されており、前方に向かって下向きに傾斜している。
【００３９】
［リモコン］
図示しないリモコンは、図１に示す室内機１および図示しない室外機と赤外線通信可能であって、室内機１及び室外機の制御に係る各種指令をユーザの操作に応じて送信する。このリモコンにより、ユーザは、上下風向板６の固定位置、上下風向板６の「スイング動作」、「水平吹きモードでの運転（所定の風向固定モードでの運転）」、冷房運転、暖房運転、除湿運転などの各運転モード、設定温度などを選択できる。
【００４０】
ここで、「水平吹きモードでの運転」とは、冷房運転時において、図３に示すように、上下風向板６および補助上下風向板７を略水平向きに固定し、吹出口１４から略水平方向に冷気を吹き出す運転を言う。以下、上下風向板６および補助上下風向板７が略水平向きに固定されたときの上下風向板６および補助上下風向板７の位置を水平位置と称する。なお、上下風向板６の水平位置は、図６に示す第１回動範囲内にあり、補助上下風向板７の水平位置は、図７に示す第２回動範囲内にある。
【００４１】
［制御部８］
制御部８（制御手段）は、ＣＰＵ（Central Processing Unit）、ＲＯＭ（Read Only Memory）、ＲＡＭ（Random Access Memory）などの複数のハードウェアから構成されている。ＲＯＭには、制御部８の動作を制御する制御プログラムなどが格納されている。そして、この制御部８は、図８に示すように、タイマ部８ａを有し、送風ファン３、左右風向板５、上下風向板６、補助上下風向板７と電気的に接続されている。
【００４２】
この制御部８は、冷房運転時において、リモコンの操作などを受けて上下風向板６を、第１回動範囲のいずれかに固定した場合、補助上下風向板７を第２回動範囲の上限位置に配置する。ここで、図２は、上下風向板６が第１回動範囲のある所定の位置に固定され、補助上下風向板７が第２回動範囲の上限位置に配置された場合の様子を示している。この上限位置（補助上下風向板７のスイング動作の上限位置）は、図２に示すように、補助上下風向板７が第１上壁部１６を延長した面Ｓより第２上壁部１７側に配置され、かつ補助上下風向板７の裏面（上面）と第２上壁部１７との間に隙間ができる位置である。
【００４３】
図２に示すように、上下風向板６が第１回動範囲のある所定の位置に固定された場合には、送風ファン３からの冷気が、上下風向板の表面６ｓ側および裏面６ｂ側の両方に十分な量流れる。したがって、上下風向板６の表面６ｓと裏面６ｂとの温度差が小さく、上下風向板６の裏面６ｂに水滴が付くことはほとんどない。そのため、送風ファン３からの冷気が補助上下風向板７に当たらないように、補助上下風向板７を第２回動範囲の上限位置に配置して、吹出口１４から吹き出される冷気の風量を確保している。
【００４４】
また、この制御部８は、冷房運転時において、リモコンの操作などを受けて上下風向板６を、第３回動範囲に固定した場合、補助上下風向板７を第４回動範囲に固定する。具体的には、上下風向板６を、第３回動範囲のうち上回動範囲のいずれかに固定した場合、補助上下風向板７を第４回動範囲のうち上回動範囲にある第１水滴回避位置ＫＡＩＨＩ１に固定する。
【００４５】
ここで、図４は、上下風向板６が第３回動範囲のうち上回動範囲のある所定の位置に固定され、補助上下風向板７が第１水滴回避位置ＫＡＩＨＩ１に固定された場合の様子を示している。図４に示すように、上下風向板６が第３回動範囲のうち上回動範囲に固定された場合には、送風ファン３からの冷気の多くが、上下風向板６の表面６ｓ側に流れて、送風ファン３からの冷気が上下風向板６の裏面６ｂ側にほとんど流れない。したがって、補助上下風向板７が第２回動範囲の例えば上限位置に配置されている場合には、上下風向板６の表面６ｓと裏面６ｂとの温度差が大きくなって、上下風向板６の裏面６ｂに水滴が付きやすい。そのため、補助上下風向板７を上限位置より下向きの第１水滴回避位置ＫＡＩＨＩ１に固定して、図４の矢印（冷気の流れ）で示すように、送風ファン３からの冷気の一部を補助上下風向板７に当て、補助上下風向板７の近くを流れる冷気を上下風向板６の裏面６ｂに向かって流すことで、上下風向板６の裏面６ｂに水滴が付くことを防止している。
【００４６】
また、この制御部８は、上下風向板６を、第３回動範囲のうち下回動範囲のいずれかに固定した場合、補助上下風向板７を第４回動範囲のうち下回動範囲にある第２水滴回避位置ＫＡＩＨＩ２に固定する。
【００４７】
ここで、図５は、上下風向板６が第３回動範囲のうち下回動範囲のある所定の位置に固定され、補助上下風向板７が第２水滴回避位置ＫＡＩＨＩ２に固定された場合の様子を示している。図５に示すように、上下風向板６が第３回動範囲のうち下回動範囲に固定された場合には、送風ファン３からの冷気の大部分が、上下風向板６の表面６ｓ側に流れて、送風ファン３からの冷気が上下風向板６の裏面６ｂ側にほとんど流れない。したがって、上下風向板６が第３回動範囲のうち上回動範囲に固定された場合よりも、上下風向板６の表面６ｓと裏面６ｂとの温度差がさらに大きくなって、上下風向板６の裏面６ｂに多くの水滴が付く。そのため、補助上下風向板７を第１水滴回避位置ＫＡＩＨＩ１よりもさらに下向きの第２水滴回避位置ＫＡＩＨＩ２に固定して、補助上下風向板７の近くを流れる冷気の多くを上下風向板６の裏面６ｂに向かって流すことで、上下風向板６の裏面６ｂに水滴が付くことを防止している。
【００４８】
なお、図５においては、上下風向板６の後端６ｅと第１上壁部１６（上壁部）との距離ａが、上下風向板６の後端６ｅと下壁部１８との距離ｂより小さく、送風ファン３からの冷気が、上下風向板６の裏面６ｂ側よりも表面６ｓ側に流れやすい状態となっている。
【００４９】
また、この制御部８は、上下風向板６を第３回動範囲に固定させたときから所定時間が経過した後で補助上下風向板７を第４回動範囲に移動させる。
【００５０】
また、この制御部８は、冷房運転時に、上下風向板６が第３回動範囲のある所定の位置に固定され、かつ補助上下風向板７が第４回動範囲（第１水滴回避位置ＫＡＩＨＩ１、又は第２水滴回避位置ＫＡＩＨＩ２）に固定された状態において、リモコンの操作などによって冷房運転が停止された場合、上下風向板６の「スイング動作」が開始された場合、「水平吹きモードでの運転」が開始された場合、及び、上下風向板６が第３回動範囲から第１回動範囲に移動した場合のいずれかの場合に、補助上下風向板７を第４回動範囲から第２回動範囲に移動させる。
【００５１】
具体的には、制御部８は、上下風向板６の「スイング動作」が開始された場合、および、上下風向板６が第３回動範囲から第１回動範囲に移動した場合、補助上下風向板７を第４回動範囲から第２回動範囲の上限位置に移動させる。また、「水平吹きモードでの運転」が開始された場合、上下風向板６を第１回動範囲内にある水平位置に移動させ、補助上下風向板７を第２回動範囲内にある水平位置に移動させる。また、冷房運転が停止された場合とは、空気調和機の運転が停止された場合と冷房運転から他の運転モードに切り換わった場合とがあるが、空気調和機の運転が停止された場合には、補助上下風向板７を第２回動範囲の上側構造当たりＰ３（全閉状態）に移動させる。一方、冷房運転から他の運転モードに切り換わった場合には、補助上下風向板７を一旦、第２回動範囲の上限位置に移動させる。
【００５２】
タイマ部８ａは、上下風向板６が第３回動範囲に固定されてから所定時間が経過したか否かを判断する際の所定時間を計測するためのタイマを駆動制御する。
【００５３】
［フロー］
次に、図９を参照して本参考例に係る空気調和機の冷房運転時における動作（フロー）について説明する。
【００５４】
まず、制御部８が冷房運転中であるか否かを判断する（Ｓ１）。冷房運転中でない場合（Ｓ１：Ｎｏ）、ステップＳ１を繰り返す。一方、冷房運転中である場合（Ｓ１：Ｙｅｓ）、上下風向板６がスイング動作中であるか否かを判断する（Ｓ２）。上下風向板６がスイング動作中である場合（Ｓ２：Ｙｅｓ）、補助上下風向板７を第２回動範囲（より詳しくは、第２回動範囲の上限位置）に配置する（Ｓ３）。一方、上下風向板６がスイング動作中でない場合（Ｓ２：Ｎｏ）、水平吹きモードでの運転が行われているか否かを判断する（Ｓ４）。
【００５５】
水平吹きモードでの運転が行われている場合（Ｓ４：Ｙｅｓ）、補助上下風向板７を第２回動範囲（より詳しくは、第２回動範囲にある水平位置）に配置する（Ｓ３）。一方、水平吹きモードでの運転が行われていない場合（Ｓ４：Ｎｏ）、上下風向板６が第１回動範囲に固定されているか否かを判断する（Ｓ５）。上下風向板６が第１回動範囲に固定されている場合（Ｓ５：Ｙｅｓ）、補助上下風向板７を第２回動範囲（より詳しくは、第２回動範囲の上限位置）に配置する（Ｓ３）。一方、上下風向板６が第１回動範囲に固定されていない場合（Ｓ５：Ｎｏ）、上下風向板６が第３回動範囲に固定されているか否かを判断する（Ｓ６）。
【００５６】
そして、上下風向板６が第３回動範囲に固定されている場合（Ｓ６：Ｙｅｓ）、タイマ部８ａによるタイマのカウントを開始する（Ｓ７）。一方、上下風向板６が第３回動範囲に固定されていない場合（Ｓ６：Ｎｏ）、ステップＳ１に戻る。
【００５７】
ステップＳ８では、リセット条件を満たすか否かを判断する。ここで、リセット条件とは、上下風向板６が第３回動範囲に固定された状態において、リモコンの操作などによって冷房運転が停止された場合、上下風向板６の「スイング動作」が開始された場合、「水平吹きモードでの運転」が開始された場合、および、上下風向板６が第３回動範囲から第１回動範囲に移動した場合のいずれかである。そして、タイマのカウント中にリセット条件を満たす場合（Ｓ８：Ｙｅｓ）、タイマのカウントをリセットすると共に、補助上下風向板７を第２回動範囲に配置する（Ｓ３）。
【００５８】
一方、リセット条件を満たさない場合（Ｓ８：Ｎｏ）、タイマのカウントが所定時間を超えたか否かを判断する（Ｓ９）。所定時間を超えた場合（Ｓ９：Ｙｅｓ）、上下風向板６が第３回動範囲の下回動範囲に固定されているか否かを判断する（Ｓ１０）。一方、所定時間を超えていない場合（Ｓ９：Ｎｏ）、ステップＳ８に戻る。
【００５９】
ステップＳ１０で、上下風向板６が第３回動範囲の下回動範囲に固定されている場合（Ｓ１０：Ｙｅｓ）、補助上下風向板７を第２水滴回避位置ＫＡＩＨＩ２（第４回動範囲のうち下回動範囲）に固定する。一方、上下風向板６が第３回動範囲の下回動範囲に固定されていない場合（Ｓ１０：Ｎｏ）、即ち、上下風向板６が第３回動範囲の上回動範囲に固定されている場合、補助上下風向板７を第１水滴回避位置ＫＡＩＨＩ１（第４回動範囲の上回動範囲）に固定する。ステップＳ１１及びステップＳ１２の後は、タイマをリセットし、ステップＳ１に戻る。
【００６０】
［本参考例の空気調和機の特徴］
本参考例の空気調和機には、以下の特徴がある。
【００６１】
この空気調和機では、冷房運転時において、上下風向板６が、第１回動範囲より下向きの第３回動範囲に固定された場合に、補助上下風向板７が、第２回動範囲より下向きの第４回動範囲に固定されるので、補助上下風向板７の近くを流れる冷気が上下風向板６の裏面６ｂに向かって流れるようになる。したがって、上下風向板６が所定（第１閾値ＣＨＫ１）より下向きになった場合でも、補助上下風向板７の近くの冷気によって上下風向板６の裏面６ｂ側の温度が低下するので、上下風向板６の裏面６ｂ側に水滴が付くのを防止できる。また、補助上下風向板７が、第４回動範囲に固定されるので、常に、補助上下風向板７の近くの冷気が上下風向板６の裏面６ｂ側に向かって流れ、より上下風向板６の裏面６ｂ側に水滴が付くのを防止できる。
【００６２】
また、上下風向板６が第３回動範囲に固定され、かつ、補助上下風向板７が第４回動範囲に固定された状態において、冷房運転が停止された場合、上下風向板６の「スイング動作」が開始された場合、「水平吹きモードでの運転」が開始された場合、及び、上下風向板６が第１回動範囲に移動した場合のいずれかの場合に、補助上下風向板７が第２回動範囲に移動するので、上下風向板６の裏面側に水滴が付くおそれがなくなった場合に、補助上下風向板７を上向きに移動させることによって風量が低下するのを抑制できる。
【００６３】
また、上下風向板６が第３回動範囲に固定されたときから所定時間が経過した後で、補助上下風向板７が第４回動範囲に移動するので、ユーザが上下風向板６を固定する操作を行ったにもかかわらず、補助上下風向板７がすぐに下方向に移動するのを防止できる。その結果、ユーザが上下風向板６を第３回動範囲に固定した場合に、補助上下風向板７がすぐに下方向に移動することにより生じる違和感をユーザに与えることがない。
【００６４】
また、上下風向板６が所定（第１閾値ＣＨＫ１）より下向きになった場合に、上下風向板６の後端６ｅと空気流路の第１上壁部１６との距離ａが、上下風向板６の後端６ｅと空気流路の下壁部１８との距離ｂよりも小さい状態となり、上下風向板６の裏面６ｂ側と比べて、上下風向板６の表面６ｓ側に冷気が流れやすい状態であっても、補助上下風向板７の近くを流れる冷気が上下風向板６の裏面６ｂに向かって流れるので、上下風向板６の裏面６ｂ側に水滴が付くのを防止できる。
【００６５】
また、上下風向板６が第３回動範囲のうち上回動範囲に固定された場合に、補助上下風向板７が第１水滴回避位置ＫＡＩＨＩ１（第４回動範囲のうち上回動範囲）に固定され、上下風向板６が第３回動範囲のうち下回動範囲に固定された場合に、補助上下風向板７が第２水滴回避位置ＫＡＩＨＩ２（第４回動範囲のうち下回動範囲）に固定される。そのため、上下風向板６が所定（第２閾値ＣＨＫ２）より下向きになって、送風ファン３からの冷気が上下風向板６の表面６ｓ側に流れやすくなった場合であっても、補助上下風向板７が所定（第２閾値Ｔ２）より下向きになって、補助上下風向板７の近くを流れる冷気が上下風向板６の裏面６ｂに向かってより流れやすくなるので、上下風向板６の裏面６ｂ側に水滴が付くのを防止できる。
【００６６】
下記、本発明の実施の形態について説明するが、本発明の具体的な構成は、下記実施形態に限定されるものでないと考えられるべきである。本発明の範囲は、下記実施形態の説明だけではなく特許請求の範囲によって示され、さらに特許請求の範囲と均等の意味および範囲内でのすべての変更が含まれる。
【００６７】
［本実施形態の空気調和機］
本参考例の空気調和機では、上下風向板６が、第１回動範囲より下向きの第３回動範囲に固定された場合に、補助上下風向板７を第２回動範囲より下向きの第４回動範囲に固定することとしたが、本実施形態の空気調和機では、補助上下風向板７を第２回動範囲より下向きの第４回動範囲に配置し、その後、補助上下風向板７を上下方向に揺動させる。
【００６８】
ここで、補助上下風向板７を上下方向に揺動させるとは、具体的には、補助上下風向板７を第４回動範囲に所定時間配置し、その後、補助上下風向板７を第２回動範囲に移動させて、第２回動範囲に所定時間配置し、また、第４回動範囲に移動させることを繰り返して、補助上下風向板７を第４回動範囲と第２回動範囲との間で往復可動させることを意味する。但し、第２回動範囲および第４回動範囲に所定時間配置する必要はなく、スイング（常に可動）させてもよい。また、どこを基準にどの範囲揺動させるかは適宜選択でき、例えば、補助上下風向板７を第４回動範囲に配置された位置を中心に第４回動範囲内で揺動させるようにしてもよい。
【００６９】
この空気調和機では、補助上下風向板７の近くを流れる冷気を上下風向板６の裏面６ｂに向かって流れるようにするために、補助上下風向板７を第４回動範囲に配置すると風量が低下するが、補助上下風向板７を上下方向に揺動させることで風量の低下を抑制できる。
【００７０】
また、本参考例の空気調和機では、上下風向板６が第１回動範囲に固定された場合において、多くの風量が得られるよう補助上下風向板７を第２回動範囲の上限位置に配置したが、補助上下風向板７は第２回動範囲のいずれかに配置されればよい。
【００７１】
また、本参考例および本実施形態の空気調和機では、第３回動範囲および第４回動範囲を上回動範囲と下回動範囲とに分けたが、上回動範囲と下回動範囲とに分ける必要はない。即ち、上下風向板６が第３回動範囲に固定された場合、補助上下風向板７が第４回動範囲のいずれかに配置されればよい。
また、第３回動範囲および第４回動範囲を３つ以上の範囲に分けてもよい。
【００７２】
また、本参考例の空気調和機では、上下風向板６が第３回動範囲の上回動範囲に固定された場合に、補助上下風向板７を第４回動範囲の上回動範囲に固定し、上下風向板６が第３回動範囲の下回動範囲に固定された場合に、補助上下風向板７を第４回動範囲の下回動範囲に固定したが、上下風向板６が固定される位置が下向きになるにつれて、補助上下風向板７が固定される位置を徐々（例えば、比例的）に下向きにしてもよい。
【００７３】
また、本参考例および本実施形態の空気調和機では、上側構造当たりＰ１から第１閾値ＣＨＫ１までを第１回動範囲とし、第１閾値ＣＨＫ１から下側構造当たりＰ２までを第３回動範囲としたが、第１回動範囲および第３回動範囲は、第３回動範囲が第１回動範囲よりも下向きであれば、どの範囲であってもよい。
【００７４】
また、本参考例および本実施形態の空気調和機では、上側構造当たりＰ３から第１閾値Ｔ１までを第２回動範囲とし、第２閾値Ｔ２から下側構造当たりＰ４までを第４回動範囲としたが、第２回動範囲および第４回動範囲は、第４回動範囲が第２回動範囲よりも下向きであれば、どの範囲であってもよい。また、第２回動範囲と第４回動範囲とが連続している必要もない。
【００７５】
また、本参考例および本実施形態の空気調和機では、上下風向板６が第３回動範囲に固定されたときから所定時間が経過した後で、補助上下風向板７を第４回動範囲に移動させることとしたが、必ずしも所定時間が経過した後で補助上下風向板７を移動させる必要はない。
【００７６】
また、本参考例および本実施形態の空気調和機では、補助上下風向板７は、リモコン操作によって制御不可としたが、リモコン操作によって制御可能であってもよい。
【００７７】
また、本参考例および本実施形態の空気調和機では、左右風向板５を備えているが、左右風向板５はなくてもよい。
【００７８】
また、本参考例の空気調和機では、空気調和機の機能として「スイング動作」を備えているが、当該機能はなくてもよい。
【００７９】
また、本参考例および本実施形態の空気調和機では、空気調和機の機能として、上下風向板６および補助上下風向板７を水平位置に固定する「水平吹きモード」を備えたが、風向は「水平吹き」に限定されるものではなく、上下風向板６および補助上下風向板７を所定の風向に固定するものであればよい。また、「水平吹きモード」はなくてもよい。
【００８０】
また、本参考例および空気調和機の除湿運転時に、冷房運転時と同様の動作が行われるようにしてもよい。
【産業上の利用可能性】
【００８１】
本発明を利用すれば、冷房運転時において上下風向板の裏面に水滴が付くのを防止できる。
【符号の説明】
【００８２】
１  室内機（空気調和機）
３  送風ファン
６  上下風向板
６ｓ  表面
６ｂ  裏面
６ｅ  後端
７  補助上下風向板
８  制御部（制御手段）
１３  吸込口
１４  吹出口
１５  上壁部
１６  第１上壁部（上壁部）
１８  下壁部